(57)【要約】      （修正有）【課題】バドミントンラケットの強度を損なわずにガットが張られたヘッドフレームのフェースに受ける空気抵抗を低減することができるバドミントンラケットを提供する。【解決手段】長軸状シャフト１０と、該シャフト１０の一端部に連なったフープ状をし、フープ内にガットが張られてなるフェースと平行して互いに背中合わせの２つの端面２１，２２と、フープ内周側の内環面２２と、フープ外周側の外環面２３とを有するヘッドフレーム２０とをそなえているバドミントンラケットにおいて、２つの端面に、前記フェースと平行する前記２つの端面の間における参考平行面より垂直に突起及び窪みを複数有する凹凸構造を設けている。【選択図】図１
0003147573.tif 000002
【実用新案登録請求の範囲】
【請求項１】
長軸状シャフトと、
該シャフトの一端部に連なったフープ状をし、フープ内にガットが張られてなるフェースと平行して互いに背中合わせの２つの端面と、フープ内周側の内環面と、フープ外周側の外環面とを有するヘッドフレームとをそなえているバドミントンラケットにおいて、
前記２つの端面に、前記フェースと平行する前記２つの端面の間における参考平行面より垂直に突起及び窪みを複数有する凹凸構造を設けていることを特徴とするバドミントンラケット。
【請求項２】
前記凹凸構造としては、前記２つの端面に局部的に設けられることを特徴とする請求項１に記載のバドミントンラケット。
【請求項３】
前記凹凸構造における前記窪みの底面としては、前記参考平行面に接することを特徴とする請求項２に記載のバドミントンラケット。
【請求項４】
前記凹凸構造における突起としては、外周面が前記端面からリブ状に張出しており、前記外周面における接線と前記参考平行面とがなす最大の夾角を６０度以下とすることを特徴とする請求項１に記載のバドミントンラケット。
【請求項５】
前記突起の外周面における接線と前記参考平行面とがなす夾角としては、１４度〜２４度とすることを特徴とする請求項４に記載のバドミントンラケット。
【請求項６】
前記２つの端面としては、前記内環面側縁部から前記外環面側縁部に向って傾斜度が漸増する勾配をすることを特徴とする請求項１に記載のバドミントンラケット。
【請求項７】
前記突起としては、肉厚が前記内環面側から前記外環面側に向って漸増することを特徴とする請求項１に記載のバドミントンラケット。
【考案の詳細な説明】
【技術分野】
【０００１】
本考案は、運動器材に係り、特にバドミントンラケットに関するものである。
【背景技術】
【０００２】
バドミントンラケットは、周知の通り、長軸状シャフトとシャフトの一端部に連なりほぼ楕円フープ状のヘッドフレームとをそなえている。従来のバドミントン用ラケットは、炭素繊維や木、あるいはアルミ、スチール等の金属にて構成されている。このラケットのヘッドフレームにガットを張ることによりシャトルを打つフェースが構成される。
【０００３】
バドミントンラケットのスイングを容易にするために、面積の大きなフェースに受ける空気抵抗を低減する工夫やラケットの軽量化を図る努力がなされてきている。
【考案の開示】
【考案が解決しようとする課題】
【０００４】
しかしながら、ラケット操作を可能にするために軽量化を図ろうとすると、バドミントンラケットの強度を犠牲にしてしまい、ガットを強く張ったときにかかる負荷にヘッドフレームが耐えることができず、ガットを張る際やラケットの使用中に折れやすい問題がある。
【０００５】
本考案は、上記問題点に鑑みてなされたものであり、バドミントンラケットの強度を損なわずにガットが張られたヘッドフレームのフェースに受ける空気抵抗を低減することができるバドミントンラケットを提供することを目的とする。
【課題を解決するための手段】
【０００６】
上記目的を達成すべく、本考案は、長軸状シャフトと、該シャフトの一端部に連なったフープ状をし、フープ内にガットが張られてなるフェースと平行して互いに背中合わせの２つの端面と、フープ内周側の内環面と、フープ外周側の外環面とを有するヘッドフレームとをそなえているバドミントンラケットにおいて、２つの端面に、フェースと平行する２つの端面の間における参考平行面より垂直に突起及び窪みを複数有する凹凸構造を設けていることを特徴とするバドミントンラケットを提供する。
【０００７】
前記バドミントンラケットにおいては、凹凸構造としては、２つの端面に局部的に設けられることが好ましい。
【０００８】
前記バドミントンラケットにおいては、凹凸構造における突起としては、外周面が端面からリブ状に張出しており、外周面における接線と参考平行面とがなす最大の夾角を６０度以下とすることが好ましく、さらに１４度〜２４度とすることがより好ましい。窪みの底面としては、参考平行面に接することが好ましい。
【０００９】
前記バドミントンラケットにおいては、２つの端面としては、内環面側縁部から外環面側縁部に向って傾斜度が漸増する勾配をすることが好ましい。
【００１０】
前記バドミントンラケットにおいては、突起としては、肉厚が内環面側から外環面側に向って漸増することが好ましい。
【考案の効果】
【００１１】
本考案のバドミントンラケットによれば、ヘッドフレームの２つの端面に、２つの端面の間におけるフェースと平行する参考平行面より垂直に突起及び窪みを有する凹凸構造を設けることによって、ラケットの強度を向上させると共に気流のガイド効果及び振動吸収効果が期待されるので、フェースに当る空気抵抗を低減させ、スイング時に受けた振動を減らすことができ、かなり操作しやすくなり、耐久性のあるバドミントンラケットを提供することができる。
【考案を実施するための最良の形態】
【００１２】
以下、図面を参照しながら本考案の実施の形態について説明する。
【００１３】
図１は、本考案に係るバドミントンラケットの一実施の形態を示す正面図、図２は図１の側面図である。
【００１４】
本考案のバドミントンラケットは、図示の如く、長軸状シャフト１０と、該シャフト１０の一端部に連なったフープ状をし、フープ内にガットが張られてなるフェースを有するヘッドフレーム２０とをそなえている。ヘッドフレーム２０は、フェースと平行して互いに背中合わせの２つの端面２１、２１と、フープ内周側の内環面２２と、フープ外周側の外環面２３とを有する。この例では、ヘッドフレーム２０では、シャフト１０側の基端部２５と対向する先端部２４から、基端部２５及び先端部２４の間の両側部２６、２６に至る外環面２３に、ガットが地面に接触して磨り減らないように外環面２３よりもガットを収納状となる周方向の溝が設けられている。ヘッドフレーム２３のフェースの剛性、とりわけガットを張ったときの強度を確保できるように、２つの端面２１、２１としては、内環面２２側縁部から外環面２３側縁部に向って傾斜度が漸増する勾配をしていることが好ましい（図４、図５参照）。
【００１５】
このバドミントンラケットにおいて、図３に示されているように、２つの端面２１、２１に、２つの端面２１、２１の間におけるフェースと平行する参考平行面Ｐより垂直に突起２１３及び窪み２１４を複数有する凹凸構造を設けている。凹凸構造としては、この例では、気流のガイド効果をよく期待するために、２つの端面２１、２１に連続的に設けてもよく、また、例えば、軽量化のため、２つの端面２１、２１の先端部２４や、基端部２５及び先端部２４の間の両側部２６、２６のみに局部的に設けられてもよい。
【００１６】
凹凸構造における窪み２１４、２１４、・・・としては、それぞれの底面２１２、２１２、・・・が参考平行面Ｐに接するように設けられる。
【００１７】
凹凸構造における突起２１３、２１３、・・・としては、外周面２１１、２１１、・・・が端面２１、２１からリブ状に張出しており、外周面２１１、２１１、・・・における接線と参考平行面Ｐとがなす最大の夾角θを６０度以下であることが好ましく、さらに１４度〜２４度とすることがより好ましい。
【００１８】
本考案のバドミントンラケットを使うとき、ヘッドフレーム２０が弧を描くようにスイングするとき、リブ状突起２１３及び窪み２１４の凹凸構造により、気流のガイド効果が期待され、フェースに当る空気抵抗を低減させ、スイング時に受けた振動を減らすことができるので、スイング操作をかなりしやすくなり、効率よくスイングすることができる。端面２１、２１に設けられた凹凸構造によって、気流のガイド効果を有するのみならず、ヘッドフレームの構造強度をも上げることができる。
【００１９】
なお、凹凸構造としては、ヘッドフレーム２０における先端部２４だけ、または両側部２６、２６だけ、または対称しないように端面２１、２１上に設けられてよい。また、ガット孔同士間に細かく間隔があいている領域において、突起２１３同士間に間隔が大きくあくように設けられると、ヘッドフレーム２０の構造強度をも上げることができる。
【００２０】
図６は、本考案に係るバドミントンラケットの他の実施の形態を示す正面図、図７は図６におけるVII―VII線に沿う横断面図、図８は、図６におけるVIII―VIII線に沿う横断面図である。
【００２１】
この実施形態では、突起２１３Ａとしては、内環面２２Ａ側の内側部２１５から外環面２３Ａ側の外側部２１６に向って肉厚が漸増していることが前記の実施形態と異なっている。このような構成においては、突起２１３Ａの外側部２１６から参考平行面Ｐまでの高さ（例えば0.2ｍｍ〜3ｍｍ）が、内側部２１５から参考平行面Ｐまでの高さよりも大きくすることにより、ヘッドフレーム２０Ａのフレーム強度を上げることができる。これにより、前記実施の形態と同様な効果を有し、また、ヘッドフレーム２０Ａにおけるシャフト１０側の基端部２５Ａと、基端部２５Ａと対向する先端部２４Ａと、基端部２５Ａ及び先端部２４Ａの間の両側部２６Ａ、２６Ａでは、ガット穴同士の間の間隔が細かくあいているように設けられているため、ガットを強く張ったときにかかる負荷にヘッドフレームが耐えることができず、ガットを張る際やラケットの使用中に折れやすい問題をも解消することができる。
【産業上の利用可能性】
【００２２】
本考案のバドミントンラケットによれば、ヘッドフレームの２つの端面に、２つの端面の間におけるフェースと平行する参考平行面より垂直に突起及び窪みを有する凹凸構造を設けていることによって、気流のガイド効果及び振動吸収効果が期待されるので、フェースに当る空気抵抗を低減させ、スイング時に受けた振動を減らすことができ、かなり操作しやすくなり、耐久性のあるバドミントンラケットを提供することができる。
【図面の簡単な説明】
【００２３】
【図１】本考案に係るバドミントンラケットの一実施の形態を示す正面図である。
【図２】図１の側面図である。
【図３】図１の端面に設けられた凹凸構造を拡大して示す側面図である。
【図４】図１におけるIV―IV線に沿う横断面図である。
【図５】図１におけるV―V線に沿う横断面図である。
【図６】本考案に係るバドミントンラケットの他の実施の形態を示す正面図である。
【図７】図６におけるVII―VII線に沿う横断面図である。
【図８】図６におけるVIII―VIII線に沿う横断面図である。
【符号の説明】
【００２４】
１０…シャフト
２０…ヘッドフレーム
２１…端面
２１３、２１３Ａ…突起
２１１…（突起の）外周面
２１４、２１４Ａ…窪み
２１２…（窪みの）底面
２１５…内周部
２１６…外側部
２２、２２Ａ…内環面
２３、２３Ａ…外環面
２４、２４Ａ…先端部
２５、２５Ａ…基端部
２６、２６Ａ…側部
Ｐ…参考平行面
【図１】
0003147573.tif 000003
【図２】
0003147573.tif 000004
【図３】
0003147573.tif 000005
【図４】
0003147573.tif 000006
【図５】
0003147573.tif 000007
【図６】
0003147573.tif 000008
【図７】
0003147573.tif 000009
【図８】
0003147573.tif 000010